(57)【要約】【目的】シートが顔面全面に馴染んだ状態で密着し易く、シートに浸透させた化粧水による美容効果を顔面全面に亘って充分に発揮させることが容易な化粧用パックシートを提供する。【構成】鼻部を除く顔面全面シートと鼻部シートとの組合せから成り、美容液等の化粧水を前記各シートに浸透させて用いること、 前記鼻部を除く顔面全面シートと鼻部シートの各々が、化粧水を浸透させる凍結乾燥コラーゲン膜体の全面に、支持シートが積層されてなること、 を特徴とする化粧用パックシートである。【選択図】        図１
0003134542.tif 000002
【実用新案登録請求の範囲】
【請求項１】
鼻部を除く顔面全面シートと鼻部シートとの組合せから成り、美容液等の化粧水を前記各シートに浸透させて用いることを特徴とする化粧用パックシート。
【請求項２】
前記鼻部を除く顔面全面シートと鼻部シートが、切り離し可能な分離線を介して連接された構成であることを特徴とする請求項１に記載の化粧用パックシート。
【請求項３】
前記鼻部を除く顔面全面シートと鼻部シートの各々が、２層構成であることを特徴とする請求項１又は２に記載の化粧用パックシート。
【請求項４】
前記鼻部を除く顔面全面シートと鼻部シートの各々が、化粧水を浸透させる凍結乾燥コラーゲン膜体の全面に、支持シートが積層されてなることを特徴とする請求項１〜３のいずれかに記載の化粧用パックシート。
【請求項５】
前記支持シートと前記凍結乾燥コラーゲン膜体とがプレス加工により一体化されていることを特徴とする請求項４に記載の化粧用パックシート。
【請求項６】
前記支持シートが、織布から成ることを特徴とする請求項４又は５に記載の化粧用パックシート。
【請求項７】
前記支持シートが、不織布からなることを特徴とする請求項４又は５に記載の化粧用パックシート。
【請求項８】
前記支持シートの不織布表面に織布模様がプレス加工されていることを特徴とする請求項７に記載の化粧用パックシート。
【請求項９】
前記鼻部を除く顔面全面シートと鼻部シートとの組合せ又は組合せの一組が、一つの包装体に包装されていることを特徴とする請求項１〜８のいずれかに記載の化粧用パックシート。
【考案の詳細な説明】
【技術分野】
【０００１】
本考案は化粧用パックシートに関し、詳しくは美容液等の化粧水を浸透させて使用するパックシートに関する。
【背景技術】
【０００２】
化粧用パックシートは、美容液等の化粧水を浸透させたシートを顔面に密着状態となるように貼り付けることで、顔面の美容効果を得るものである。
【０００３】
シートは顔面の形や凹凸等に対応するように、目・鼻・口の部分に開口を設け、顔の輪郭と略一致する形状に形成されている（特許文献１〜３等参照）。
【０００４】
【特許文献１】ＷＯ００／０４８６９
【特許文献２】特開２００３−０００３４１
【特許文献３】意匠登録第１２８４３７４号
【考案の開示】
【考案が解決しようとする課題】
【０００５】
特許文献１の技術は、鼻部に切込みと、口部に開口を有し、顔面全面から首の一部まで覆う形状の一枚構成のシートから成る構成である。
【０００６】
特許文献２の技術は、鼻部を含める顔面の上部分（額から目と目尻及びこめかみまで側方に伸びて、下方は鼻部まで）を覆うシートと、鼻より下方の顔面の下部分（鼻下から側方は頬、下方は顎まで）を覆うシートとの２分割構成のシートから成る構成である。
【０００７】
特許文献３の技術は、鼻孔部分に切込みと、目と口部に開口を有し、顔面の輪郭と略一致する形状の一枚構成のシートから成る構成である。
【０００８】
しかし、特許文献１の技術では、鼻部の切込みから鼻梁が露出するようにシートを顔面に貼り付けることによって鼻部を除く顔面全面にシートを密着させることはできるが、切込みから露出する鼻梁及びその周囲部分はシートに被覆されないので化粧水による美容効果が得られないという欠点を有している。
【０００９】
また、特許文献２の技術では、上部分のシートと下部分のシートとの境目部分で分断した状態で顔面に貼り付ける構成なので、この境目部分でシートとシートの間に隙間が生じたり、或いはシート端部とシート端部が重なってしまった場合には皺が生じたりするので、顔面全面にシートが馴染んだ状態で密着させることが困難であるという欠点を有している。
【００１０】
更に、特許文献３の技術では、鼻部分は鼻下に横方向の切込みが一本形成されているだけなので、鼻部を含む顔面全面にシートを貼り付けると顔面から隆起する鼻によって鼻両脇部分でシートが浮いて隙間が生じ易く、顔面全面にシートが馴染んだ状態で密着させることが困難であるという欠点を有している。
【００１１】
即ち、特許文献１〜３のいずれの技術においても、部分的にシートが顔面に馴染まずに密着しない部分が生じ易いので、シートに浸透させた化粧水による美容効果を顔面全面に亘って充分に発揮させることができないという欠点を有している。
【００１２】
そこで本考案の課題は、シートが顔面全面に馴染んだ状態で密着し易く、シートに浸透させた化粧水による美容効果を顔面全面に亘って充分に発揮させることが容易な化粧用パックシートを提供することにある。
【課題を解決するための手段】
【００１３】
上記課題を解決する本考案は下記構成を有する。
【００１４】
１．鼻部を除く顔面全面シートと鼻部シートとの組合せから成り、美容液等の化粧水を前記各シートに浸透させて用いることを特徴とする化粧用パックシート。
【００１５】
２．前記鼻部を除く顔面全面シートと鼻部シートが、切り離し可能な分離線を介して連接された構成であることを特徴とする上記１に記載の化粧用パックシート。
【００１６】
３．前記鼻部を除く顔面全面シートと鼻部シートの各々が、２層構成であることを特徴とする上記１又は２に記載の化粧用パックシート。
【００１７】
４．前記鼻部を除く顔面全面シートと鼻部シートの各々が、化粧水を浸透させる凍結乾燥コラーゲン膜体の全面に、支持シートが積層されてなることを特徴とする上記１〜３のいずれかに記載の化粧用パックシート。
【００１８】
５．前記支持シートと前記凍結乾燥コラーゲン膜体とがプレス加工により一体化されていることを特徴とする上記４に記載の化粧用パックシート。
【００１９】
６．前記支持シートが、織布から成ることを特徴とする上記４又は５に記載の化粧用パックシート。
【００２０】
７．前記支持シートが、不織布からなることを特徴とする上記４又は５に記載の化粧用パックシート。
【００２１】
８．前記支持シートの不織布表面に織布模様がプレス加工されていることを特徴とする上記７に記載の化粧用パックシート。
【００２２】
９．前記鼻部を除く顔面全面シートと鼻部シートとの組合せ又は組合せの一組が、一つの包装体に包装されていることを特徴とする上記１〜８のいずれかに記載の化粧用パックシート。
【考案の効果】
【００２３】
請求項１に示す考案によれば、シートが顔面全面に馴染んだ状態で密着し易く、シートに浸透させた化粧水による美容効果を顔面全面に亘って充分に発揮させることが容易な化粧用パックシートを提供することができる。
【００２４】
特に、鼻部を除く顔面全面シートと、鼻部シートを別体構成にしたことにより、顔面全面シートが鼻部を除く顔面全面に馴染んだ状態で密着し、顔面から隆起する鼻部は鼻部シートが馴染んだ状態で密着することになるので、顔面全面にシートを馴染んだ状態で密着させることができる。
【００２５】
請求項２に示す考案によれば、顔面全面シートと鼻部シートとが連接された状態で化粧水を浸透させることができるので、別体の２枚のシートの夫々に化粧水を浸透させる構成よりも化粧水を浸透させる手間が少なくなるだけでなく、２枚のシートの化粧水浸透度を一致させることが容易である。また、製造時に顔面全面シートと鼻部シートとを同一の原材料シート上においてプレス加工等によって同時に形成できるのでコストダウンを図ることができる。
【００２６】
請求項３に示す考案によれば、化粧水を浸透させる層とシート形状を維持する層の構成を容易に得ることができる。
【００２７】
請求項４に示す考案によれば、シートの形状維持に必要な構成を支持シートが受け持つことにより、化粧水の浸透効果及び顔面への美容効果の高い凍結乾燥コラーゲン膜体を顔面に密着させる部分の全面に配設することができる。
【００２８】
請求項５に示す考案によれば、化粧水浸透時の支持シートと凍結乾燥コラーゲン膜体との剥離を抑制することができる。
【００２９】
請求項６に示す考案によれば、織目を有するので凍結乾燥コラーゲン膜体との親和度が高く剥離し難いシートを得ることができる。また、織目と交差する方向に伸縮性を有する支持シートを得ることができるので、織目方向を考慮して支持シートを形成することにより顔面全面及び鼻部への美容効果をより高めることができる。
【００３０】
請求項７に示す考案によれば、柔軟な支持シートを利用できるので、顔面全面及び鼻部への美容効果をより高めることができる。
【００３１】
請求項８に示す考案によれば、シートのいずれの面が支持シートであるかが判別し易くなるので、化粧水を浸透させる際や顔面へ貼り付ける際に浸透面や貼り付け面を誤ることを防止することができる。
【００３２】
請求項９に示す考案によれば、一つの包装体を開封するだけで顔面全面シートと鼻部シートの両方のシートを得ることができる。また、一度に使用する一枚毎に一つの包装体に包装することで、より衛生的となる。
【考案を実施するための最良の形態】
【００３３】
次に、添付の図面に従って本考案を詳細に説明する。
【００３４】
図１は本発明に係る化粧用パックシートの一実施例を示す平面図、図２は層構成の一例を示す部分断面図、図３は不織布表面にプレス加工される織布模様の一例を示す平面図、図４は包装体に包装された状態の一例を示す平面図、図５は図４の包装体を開封して化粧用パックシートを取り出す状態を示す説明平面図、図６は顔面に貼り付ける状態を説明する拡散斜視図、図７は本発明に係る化粧用パックシートの他の実施例を示す平面図、図８は図７の化粧用パックシートを分離線から切り離した状態を示す平面図、図９は包装体に包装された状態の一例を示す平面図である。
【００３５】
図１及び図２に示すように、本考案に係る化粧用パックシート（以下、単にパックシート又はシートと言うこともある。）１は、顔面の中の鼻部を除く部分を覆う構成の顔面全面シート１１と、鼻部を覆う構成の鼻部シート１２との組合せから成り、該顔面全面シート１１と鼻部シート１２の各々に美容液等の化粧水を浸透させて用いるものである。
【００３６】
顔面全面シート１１には、目の部分には目部開口１３が設けられ、鼻部の部分には該鼻部の隆起を逃がすことで顔面全面シート１１が顔面に馴染み易くするための鼻部切込み１４が形成され、口の部分には口部切込み１５が形成されている。
【００３７】
尚、目部開口１３を設けることなく、瞼部も顔面全面シート１１を密着状態で貼り付けることで瞼部にも化粧水による美容効果を発揮させる構成も本考案に包含される。
【００３８】
尚また、顔面全面シート１１は、本実施例では口部には開口を有さない構成とすることにより、口部切込み１５を形成することなく、口部も顔面全面シート１１を密着状態で貼り付けることで唇にも化粧水による美容効果を発揮させる構成も本考案に包含される。
【００３９】
鼻部切込み１４及び／又は口部切込み１５が形成されている場合、夫々の切込み線の端部には端部透孔１６が設けられていることが好ましい。端部透孔１６が設けられていることにより、鼻部切込み１４及び／又は口部切込み１５の夫々の切込み線の端部に力が掛かった際に該力を逃がす作用を果たすので、該切込み線の端部から裂けてしまうのを防止することができる。
【００４０】
鼻部シート１２は鼻部全体を覆う形状を有するものであり、本実施例に示すように略六角形状に形成し、図６に示すように山型側を上方（眉間方向）に向けた状態で鼻部に貼り付けることで鼻部全体を覆うことができる。尚、該鼻部シート１２は、鼻部全体を覆うことができれば本実施例の略六角形状に限らず他の形状であってもよく、鼻孔を除く鼻下側まで覆う形状であってもよい。
【００４１】
以上の形状を有する顔面全面シート１１及び鼻部シート１２は、図２に示すように２層構成であることが好ましい。
【００４２】
図２に示すように、２層構成である場合、顔面に貼り付けた際に顔面側に位置する層となる化粧水を浸透させる層１７を凍結乾燥コラーゲン膜体とし、該凍結乾燥コラーゲン膜体の全面に、他層１８である支持シートを積層した層構成であることが好ましい。凍結乾燥コラーゲン膜体としては、例えば、特許第２９９２１４３号に記載の技術を挙げることができる。尚、化粧水を浸透させる層は、凍結乾燥コラーゲン膜体に限らず、化粧水が浸透し易く且つ浸透した化粧水を保持し易い成分・組成・構成のものであればよく、この種の化粧パックシートに用いられる公知公用の化粧水浸透層のいずれを用いてもよい。
【００４３】
支持シートは、織布又は不織布のいずれかで形成することが好ましい。
【００４４】
支持シートを織布で形成した場合は、織布は織目を有するので凍結乾燥コラーゲン膜体との親和度が高く剥離し難いシートを得ることができ、また、織目と交差する方向に伸縮性を有する支持シートを得ることができるので、織目方向を考慮して支持シートを形成することにより顔面全面及び鼻部への美容効果をより高めることができる等の効果を奏する。
【００４５】
また、支持シートを不織布で形成した場合は、柔軟性を有する不織布の特性によって支持シートを柔軟に形成できるので、顔面全面及び鼻部への美容効果をより高めることができる等の効果を奏する。
【００４６】
尚、支持シートを不織布で形成した場合、図３に示すように不織布表面に織布模様をプレス加工することが好ましい。不織布表面に織布模様を施すことによって、顔面に貼り付ける面と支持シートの面との判別が容易となるので、化粧水を浸透させる際や顔面へ貼り付ける際に浸透面や貼り付け面を誤ることを防止することができる。
【００４７】
織布又は不織布から成る支持シートと凍結乾燥コラーゲン膜体とは、プレス加工により一体化させることで積層することが好ましい。
【００４８】
顔面全面シート１１及び鼻部シート１２の層構成としては、浸透させる化粧水の種類や粘度、投下できる製造コスト、製品としての化粧用パックシート１に要求される種々条件等の様々な条件によって、上記した織布・不織布・凍結感想コラーゲン膜体の他、この種の化粧用パックシートに用いられる公知公用のいずれかの材料の中から最適な素材が選択される。
【００４９】
以上の構成を有する顔面全面シート１１及び鼻部シート１２から成る化粧用パックシート１は、図４に示すように、顔面全面シート１１と鼻部シート１２との組合せが、一つの包装体２に包装された状態で、保管・流通・販売されることが好ましい。尚、包装体２に包装する際、使用者が鼻部シート１２の向き｛本実施例では山型側を上方（眉間方向）に向けた状態｝を誤らないように顔面全面シート１１の鼻部切込み１４の上に正しい向きで載置した状態で包装することが好ましい。
【００５０】
また、包装体２への包装は、図４に示す顔面全面シート１１を広げた状態のまま包装する態様に限らず、一部ないし全部を折り畳んだ状態で包装することもできる。折り畳む場合、半分〜数分の１程度に折り畳むことが好ましく、より好ましくは鼻部シート１２と同程度の大きさとなる６分の１に折り畳むことである。
【００５１】
包装体２は、顔面全面シート１１と鼻部シート１２との組合せが複数組、即ち、化粧用パックシート１複数枚が一つの包装体２に包装されていてもよいが、好ましくは一つの包装体２に、顔面全面シート１１と鼻部シート１２との組合せが一組、即ち、化粧用パックシート一枚が単独で包装されていることが好ましい。
【００５２】
また、包装体２は、内部が透視できるように少なくとも片面の少なくとも一部が実質的に透明で形成されていることが好ましい。
【００５３】
包装体２に包装された化粧用パックシート１を取り出して使用するには、例えば、図６（Ａ）に示すように端部２１から剥離し始め、図６（Ｂ）に示すように化粧用パックシート１が取り出せる位置まで剥離した後に顔面全面シート１１及び鼻部シート１２を取り出す。尚、剥離し始めの位置である端部２１が判別し易いように、該端部２１部分に矢符等のマーク（図５の符号２２参照）を付しておくことが好ましい。
【００５４】
包装体２から化粧用パックシート１を取り出した後、顔面洗面シート１１と鼻部シート１２の両方に化粧水を浸透させた後、図６に示すように顔面に貼り付ける。
【００５５】
尚、化粧用パックシート１への化粧水の浸透は、包装体２から取り出す前に行ってもよい。即ち、包装体２の端部２１を剥離した後、該剥離した部分から包装体２の中に適量の化粧水を入れて顔面全面シート１１と鼻部シート１２の両方に化粧水を浸透させる。化粧水が浸透した後、顔面全面シート１１と鼻部シート１２を取り出す。
【００５６】
顔面全面シート１１と鼻部シート１２とを顔面に貼り付ける順番としては、図６に示すように、先ず、鼻部に鼻部シート１２を密着状態となるように貼り付けて鼻部に馴染ませ、次に、顔面全面シート１１を顔面全面に密着状態となるように貼り付けて顔面全面に馴染ませることが好ましい。鼻部シート１２を先に貼り付けることで、立体的に隆起する鼻部により馴染ませることが可能となるが、本考案はこの順番に限定されず、顔面全面シート１１を先に貼り付けてもよい。顔面全面シート１１を先に貼り付ける場合、該顔面シート１１を貼り付けた後に、鼻部切込み１４を開いて鼻部を露出させた後、該露出した鼻部に鼻部シート１２を鼻部全面に密着状態となるように貼り付けて鼻部全面に馴染ませる。
【００５７】
以上、本考案に係る化粧用パックシートの一実施例について説明したが、本考案は上記に限定されず、本考案の範囲内において他の態様を採ることができる。
【００５８】
例えば、図７〜図９に示す他の実施例では、顔面全面シート１１と鼻部シート１２は、図７に示すように切り離し可能な分離線１９を介して連接された一枚構成のシートとし、使用に際して、図８に示すように該分離線１３から顔面全面シート１１と鼻部シート１２とを切り離すことにより、切り離し前は一枚構成のシートだったものを分割する構成を有するものである。
【００５９】
包装体２から化粧用パックシート１を取り出した後、化粧水を浸透させ、分離線１３から顔面全面シート１１と鼻部シート１２（と必要に応じて端切れ部１５・１５）を図２に示すように切り離した後、図７に示すように顔面に貼り付ける。
【００６０】
尚、図７〜図９に示す実施例において、前述した図１〜図６と同符号のものについては同様の構成を有するので説明を省略する。
【００６１】
図７〜図９に示す実施例によれば、製造時に、一つのパーツとして同時にプレス加工を施したり、包装体２による包装を同時に行うことができるので、顔面全面シート１１と鼻部シート１２とが別体シートである構成に比して手間が少なくなりコストダウンを図ることができる。
【００６２】
また、製造時だけでなく、使用者が化粧水を浸透させる際にも顔面全面シート１１と鼻部シート１２は連接された一枚のシートであることから一度に浸透させることができると共に、顔面全面シート１１と鼻部シート１２の化粧水浸透度を一致させることが容易である。
【図面の簡単な説明】
【００６３】
【図１】本発明に係る化粧用パックシートの一実施例を示す平面図
【図２】層構成の一例を示す部分断面図
【図３】不織布表面にプレス加工される織布模様の一例を示す平面図
【図４】包装体に包装された状態の一例を示す平面図
【図５】図４の包装体を開封して化粧用パックシートを取り出す状態を示す説明平面図
【図６】顔面に貼り付ける状態を説明する拡散斜視図
【図７】本発明に係る化粧用パックシートの他の実施例を示す平面図
【図８】図７の化粧用パックシートを分離線から切り離した状態を示す平面図
【図９】包装体に包装された状態の一例を示す平面図
【符号の説明】
【００６４】
１  化粧用パックシート
１１  顔面全面シート
１２  鼻部シート
１３  目部開口
１４  鼻部切込み
１５  口部切込み
１６  端部透孔
１７  化粧水を浸透させる層
１８  他層
１９  分離線
２  包装体
２１  端部
２２  マーク
【図１】
0003134542.tif 000003
【図２】
0003134542.tif 000004
【図３】
0003134542.tif 000005
【図４】
0003134542.tif 000006
【図５】
0003134542.tif 000007
【図６】
0003134542.tif 000008
【図７】
0003134542.tif 000009
【図８】
0003134542.tif 000010
【図９】
0003134542.tif 000011